(57)【要約】【課題】  小型、軽量であるとともに、大きな光量を照射することのできる照明装置およびそれを用いたプロジェクタを提供する。【解決手段】  異なる波長の色光を出射する複数の光源と、入射した２つの異なる波長の色光を選択的に透過、反射する色光選択膜１４ｒ、１４ｇ、１４ｂを複数有し、透過された色光と反射された色光とが同一方向に出射される波長合成手段１２と、を備えた照明装置であって、波長合成手段１２には、色光が入射する光入射面１３ｒ、１３ｇ１、１３ｇ２、１３ｂが少なくとも４面以上形成され、光源が、光入射面１３ｒ、１３ｇ１、１３ｇ２、１３ｂにそれぞれ異なる波長の色光が入射するように配置されていることを特徴とする。【選択図】  図２
2005121735.tif 000002
【特許請求の範囲】
【請求項１】
異なる波長の色光を出射する複数の光源と、
入射した２つの異なる波長の色光を選択的に透過、反射する色光選択膜を複数有し、透過された色光と反射された色光とが同一方向に出射される波長合成手段と、
を備えた照明装置であって、
前記波長合成手段には、色光が入射する光入射面が少なくとも４面以上形成され、
前記光源が、前記光入射面にそれぞれ異なる波長の色光が入射するように配置されていることを特徴とする照明装置。
【請求項２】
前記波長合成手段が、透過された色光と反射された色光とが同一方向に出射される光出射面を有する略立方体形状に形成され、
前記波長合成手段内には、前記光出射面に隣接する面と略直交するとともに、前記隣接する面との交線が前記隣接する面の略対角線となるように前記色光選択膜が形成され、
さらに、前記光出射面および前記隣接する面の両者に略直交する面と略直交するとともに、前記直交する面との交線が前記直交する面の略対角線となるように前記色光選択膜が形成されていることを特徴とする請求項１記載の照明装置。
【請求項３】
照明装置と、該照明装置からの光を変調する光変調手段と、該光変調手段によって変調された光を投射する投射手段とを備えたプロジェクタであって、
前記照明装置が請求項１または２に記載の照明装置であることを特徴とするプロジェクタ。
【請求項４】
前記照明装置の前記光源が、異なる色光を出射する光源ごとに交番発光し、
前記光変調手段が、出射された色光に対応した変調を行うことを特徴とする請求項３記載のプロジェクタ。
【請求項５】
前記照明装置の全ての前記光源が連続発光し、
前記光変調手段には、カラーフィルタが配置されていることを特徴とする請求項３記載のプロジェクタ。
【請求項６】
請求項１または２に記載の照明装置と、該照明装置の前記光源から出射される色光をそれぞれ変調する光変調手段と、該光変調手段によって変調された色光を投射する投射手段と、を備えたことを特徴とするプロジェクタ。
【発明の詳細な説明】
【技術分野】
【０００１】
本発明は、照明装置およびプロジェクタに関する。
【背景技術】
【０００２】
従来のプロジェクタ（投射型表示装置）では、その光源として、古くはハロゲンランプ、近年は高輝度高効率である高圧水銀ランプ（ＵＨＰ）が多く用いられてきた。放電型のランプであるＵＨＰを用いた光源は高圧の電源回路を要し、大型で重く、プロジェクタの小型軽量化の妨げになっていた。また、ハロゲンランプよりは寿命が長いものの依然短寿命である他、光源の制御（高速の点灯、消灯、変調）が略不可能で、また立ち上げに数分という長い時間を要していた。
【０００３】
そこで最近、新しい光源としてＬＥＤ発光体が注目されている。ＬＥＤは超小型・超軽量、長寿命である。また、駆動電流の制御によって、点灯・消灯、出射光量の調整が自由にできる。この点でプロジェクタの光源としても有望であり、既に小型・携帯用の小画面プロジェクタへの応用開発が始まっている。
しかしながら、ＬＥＤは効率においてＵＨＰの１／２から１／３程度であり、プロジェクタの光源としては十分な光量を照射することは難しい。とりわけ、緑色（Ｇ）の色光を出射するＬＥＤは出射できる光量が少なく、Ｇ色光の光量不足を補うためのさまざまな技術が提案されている（例えば、特許文献１および２参照。）。
【特許文献１】特開平１１−３２２７８号公報
【特許文献２】特開昭６３−１１８７１７号公報
【発明の開示】
【発明が解決しようとする課題】
【０００４】
上記特許文献１においては、Ｇ色光を出射するＬＥＤの数を増やしてＧ色光の不足を補っている。しかし、ＬＥＤの個数を増やすと発光点が大きくなるため（エテンデュが増大する）、光学系としての照明効率が低下し、大きな効果が得られ難く、大きな光量を照射し難いという問題があった。また、投入電力から見た効率はさらに低下してしまうという問題があった。
【０００５】
また、波長選択性を有するダイクロイック膜を用いると、ＬＥＤの個数を増やしても発光点が大きくならず、エテンデュは増大しない。上記特許文献２では、このダイクロイック膜を有するクロスダイクロイックプリズムをプロジェクタに用いた例が示されている。上記クロスダイクロイックプリズムにおいては、４つの面のうち光出射面を除く３つの面に異なる波長の色光をそれぞれ入射させているため、１つの面に並べられるＬＥＤの個数が、増やすことのできるＬＥＤの個数の上限となっていた。そのため、照射できる光量はクロスダイクロイックプリズムの大きさに影響され、小型かつ軽量で大きな光量を照射することが困難であるという問題があった。
【０００６】
本発明は、上記の課題を解決するためになされたものであって、小型、軽量であるとともに、大きな光量を照射することのできる照明装置およびそれを用いたプロジェクタを提供することを目的とする。
【課題を解決するための手段】
【０００７】
上記目的を達成するために、本発明の照明装置は、異なる波長の色光を出射する複数の光源と、入射した２つの異なる波長の色光を選択的に透過、反射する色光選択膜を複数有し、透過された色光と反射された色光とが同一方向に出射される波長合成手段と、を備えた照明装置であって、波長合成手段には、色光が入射する光入射面が少なくとも４面以上形成され、光源が、光入射面にそれぞれ異なる波長の色光が入射するように配置されていることを特徴とする。
【０００８】
すなわち、本発明の照明装置は、少なくとも４面以上の光入射面が形成され、入射した色光を同一方向に出射させる波長合成手段を備えているため、少なくとも４以上の異なる色光を重ね合わせて出射させることができる。そのため、エテンデュを増大させることなく出射できる光量を増大させることができる。例えば、波長の異なる２つのＧ色光（波長が５６０ｎｍのＧ１色光と、波長が５０２ｎｍのＧ２色光）をそれぞれ別の光入射面から波長合成手段に入射させることにより、エテンデュを増大させずに略２倍の光量のＧ色光をさせることができる。
また、構成要素が異なる波長の色光を出射する光源および波長合成手段のみであるので、照明装置の小型化、軽量化を図るのに好適である。
【０００９】
上記の構成を実現するために、より具体的には、波長合成手段が、透過された色光と反射された色光とが同一方向に出射される光出射面を有する略立方体形状に形成され、波長合成手段内には、光出射面に隣接する面と略直交するとともに、隣接する面との交線が隣接する面の略対角線となるように色光選択膜が形成され、光出射面および隣接する面の両者に略直交する面と略直交するとともに、直交する面との交線が直交する面の略対角線となるように色光選択膜が形成されていることが望ましい。
この構成によれば、波長合成手段内に上述したように色光選択膜を形成したことにより、波長合成手段の光出射面以外の面を光入射面とすることができる。そのため、少なくとも４つの異なる色光、最大で５つの異なる色光を重ね合わせて出射させることができ、出射できる光の光量を増やすことができる。
【００１０】
本発明の第１のプロジェクタは、照明装置と、照明装置からの光を変調する光変調手段と、光変調手段によって変調された光を投射する投射手段とを備えたプロジェクタであって、照明装置が上記本発明の照明装置であることを特徴とする。
【００１１】
すなわち、本発明の第１のプロジェクタは、本発明の照明装置を備えるとともに、光変調手段が照明装置から出射された光を変調する光変調手段のみであるので、プロジェクタの小型化、軽量化を図るのに好適である。また、本発明の照明装置を備えているため、明るい画像を投射することができる。
【００１２】
上記の構成を実現するために、より具体的には、照明装置の光源が、異なる色光を出射する光源ごとに交番発光し、光変調手段が、出射された色光に対応した変調を行ってもよい。
この構成によれば、例えばカラーフィルタなどの色光変換手段を用いないので、プロジェクタの構成要素を削減することができ、プロジェクタの小型化、軽量化を図ることができるとともに、明るいカラー画像を投射することができる。
【００１３】
上記の構成を実現するために、より具体的には、照明装置の全ての光源が連続発光し、光変調手段には、カラーフィルタが配置されていてもよい。
この構成によれば、例えば光変調手段が、交番発光する各色光に対応して、画像の切替周波数よりも早い周期で各色光を変調する必要がなく、画像の表示が容易となる。また、照明装置の構成要素が少ないため、プロジェクタの小型化、軽量化を図ることができるとともに、明るいカラー画像を投射することができる。
【００１４】
本発明の第２のプロジェクタは、上記本発明の照明装置と、照明装置の光源から出射された色光をそれぞれ変調する光変調手段と、光変調手段によって変調された色光を投射する投射手段と、を備えたことを特徴とする。
【００１５】
すなわち、本発明の第２のプロジェクタは、本発明の照明装置を備えるとともに、光源から出射された色光をそれぞれ変調してから合成しているため、投射される画像の明るさを向上させることができる。また、本発明の照明装置を備えているため、プロジェクタの小型化、軽量化を図ることができる。
【発明を実施するための最良の形態】
【００１６】
〔第１の実施の形態〕
以下、本発明における第１の実施の形態について図１から図５を参照して説明する。
図１は、本実施の形態に係るプロジェクタの全体構成を示す概略平面図である。なお、以下の全ての図面においては、図面を見やすくするため、各構成要素の膜厚や寸法の比率などは適宜異ならせてある。
本実施の形態のプロジェクタ１は単板式の液晶プロジェクタであり、図１に示すように、照明装置１０と、照明装置１０から出射された白色光をＲ、Ｇ、Ｂの各色光に変換するカラーフィルタ２０と、変換された各色光を変調する透過型の液晶ライトバルブ（光変調手段）３０と、変調された各色光を投射する投射レンズ（投射手段）３５と、から概略構成されている。
【００１７】
照明装置１０は、図１に示すように、それぞれＲ（赤）、Ｇ１（緑：波長５０２ｎｍ）、Ｇ２（緑：波長５６０ｎｍ）、Ｂ（青）の色光を同時に連続出射可能な光源１１Ｒ、１１Ｇ１、１１Ｇ２、１１Ｂと、各色光を重ね合わせて白色光を出射するクロスダイクロイックプリズム（波長合成手段）１２と、から概略構成されている。
【００１８】
図２は、クロスダイクロイックプリズムの斜視図である。
クロスダイクロイックプリズム１２は、図２に示すように、略直方体形状に形成されている。クロスダイクロイックプリズム１２の各面は、白色光を出射する光出射面１３と、光出射面１３に対向する色光Ｇ１の光入射面１３ｇ１と、光出射面１３および光入射面１３ｇ１と隣接する色光Ｇ２の光入射面１３ｇ２と、光出射面１３および光入射面１３ｇ１と隣接する色光Ｒの光入射面１３ｒと、光入射面１３ｒに対向する色光Ｂの光入射面１３ｂと、を形成している。
【００１９】
図３は、各ダイクロイック膜の反射特性を説明する図である。
クロスダイクロイックプリズム１２の内部には、図３（ａ）に示すような、色光Ｇ１より長い波長を有する色光を反射し、色光Ｇ１以下の波長を有する色光を透過するＲ反射ダイクロイック膜（色光選択膜）１４ｒと、図３（ｂ）に示すような、色光Ｇ２よりも短い波長を有する色光を反射し、色光Ｇ２以上の波長を有する色光を透過するＢ反射ダイクロイック膜（色光選択膜）１４ｂと、図３（ｃ）に示すような、色光Ｇ１以上の波長を有する色光および色光Ｂ以下の波長を有する色光を透過し、色光Ｇ２と略同等の波長を有する色光を反射するＧ反射ダイクロイック膜（色光選択膜）１４ｇとが形成されている。
【００２０】
Ｒ反射ダイクロイック膜１４ｒおよびＢ反射ダイクロイック膜１４ｂは、光入射面１３ｇ２と直交するとともに、その交線が光入射面１３ｇ２の対角線となるように配置されている。Ｒ反射ダイクロイック膜１４ｒは、光出射面１３に向かって光入射面１３ｒから離れるように配置され、Ｂ反射ダイクロイック膜１４ｂは、光出射面１３に向かって光入射面１３ｂから離れるように配置されている。
Ｇ反射ダイクロイック膜１４ｇは、光入射面１３ｂと直交するとともに、その交線が光入射面１３ｂの対角線であって、光出射面１３に向かって光入射面１３ｇ２から離れる対角線となるように配置されている。
【００２１】
光源１１Ｒ、１１Ｇ１、１１Ｇ２、１１Ｂは、各色光Ｒ、Ｇ１、Ｇ２、Ｂを出射するＬＥＤチップをアレイ状に配置して構成され、それぞれ光入射面１３ｒ、１３ｇ１、１３ｇ２、１３ｂと対向する位置に配置されている。また、光源１１Ｒ、１１Ｇ１、１１Ｇ２、１１Ｂには、各光入射面１３ｒ、１３ｇ１、１３ｇ２、１３ｂと略同一形状にＬＥＤチップが配置されている。
【００２２】
カラーフィルタ２０には、透過する白色光をＲ、Ｇ、Ｂの各色光のいずれかに変換する領域が形成され、各領域は、後述する液晶ライトバルブ３０の各色光を変調する画素と対応するように配置されている。
液晶ライトバルブ３０には、画素スイッチング用素子として薄膜トランジスタ（Ｔｈｉｎ  Ｆｉｌｍ  Ｔｒａｎｓｉｓｔｏｒ、以下、ＴＦＴと略記する）を用いたＴＮ（Ｔｗｉｓｔｅｄ  Ｎｅｍａｔｉｃ）モードのアクティブマトリクス方式の透過型の液晶セルが使用されている。液晶ライトバルブ３０の画素は、それぞれＲ、Ｇ、Ｂの色光に対応した画素の組からなり、各色光を変調することにより所定の中間色を表現することができる。
【００２３】
次に、上記の構成からなるプロジェクタ１における作用について説明する。
図４は、各色光の重ね合わせを示す概略平面図である。図５は、各色光の重ね合わせを示す概略側面図である。
光源１１Ｒ、１１Ｇ１、１１Ｇ２、１１Ｂから連続的に出射された各色光Ｒ、Ｇ１、Ｇ２、Ｂは、図４および図５に示すように、それぞれクロスダイクロイックプリズム１２の光入射面１３ｒ、１３ｇ１、１３ｇ２、１３ｂに入射される。
クロスダイクロイックプリズム１２に入射した色光Ｒは、Ｒ反射ダイクロイック膜１４ｒに反射され、その他の反射ダイクロイック膜１４ｇ、１４ｂは透過して光出射面１３から出射される。色光Ｇ１は、全ての反射ダイクロイック膜１４ｒ、１４ｇ、１４ｂを透過して光出射面１３から出射される。色光Ｇ２は、Ｇ反射ダイクロイック膜１４ｇに反射され、その他の反射ダイクロイック膜１４ｒ、１４ｂは透過して光出射面１３から出射される。光入射面１３ｂに入射した色光Ｂは、Ｂ反射ダイクロイック膜１４ｂに反射され、Ｒ反射ダイクロイック膜１４ｒを透過して光出射面１３から出射される。
【００２４】
各光源１１Ｒ、１１Ｇ１、１１Ｇ２、１１Ｂから同時にクロスダイクロイックプリズム１２に入射された各色光Ｒ、Ｇ１、Ｇ２、Ｂは、クロスダイクロイックプリズム１２内で重ね合わされ、光出射面１３から白色光となって出射される。クロスダイクロイックプリズム１２から出射された白色光は、カラーフィルタ２０に入射され、液晶ライトバルブ３０の各画素に対応したＲ、Ｇ、Ｂの各色光に変換される。変換された各色光は、液晶ライトバルブ３０の対応した画素に入射され、変調されることによりカラー画像に変調される。カラー画像は、投射レンズ３５によってスクリーン４０に投射される。
【００２５】
上記の構成によれば、波長の異なる２つのＧ色光（波長が５６０ｎｍのＧ１色光と、波長が５０２ｎｍのＧ２色光）を光入射面１３ｇ１および光入射面１３ｇ２から入射させ、重ね合わせて光出射面１３から出射させることができる。
そのため、色光Ｇのエテンデュを増大させることなく略２倍の光量を出射させることができる。
【００２６】
また、照明装置１０を構成する要素が、光源１１Ｒ、１１Ｇ１、１１Ｇ２、１１Ｂおよびクロスダイクロイックプリズム１２のみであるので、照明装置１０の小型化、軽量化を図るのに好適である。
さらに、単板式のプロジェクタ１に照明装置１０を用いることで、プロジェクタ１の小型化、軽量化を図ることができる。
【００２７】
〔第２の実施の形態〕
次に、本発明の第２の実施形態について図６を参照して説明する。
本実施の形態のプロジェクタの基本構成は、第１の実施の形態と同様であるが、第１の実施の形態とは、照明装置および液晶ライトバルブの駆動方法およびカラーフィルタの有無が異なっている。よって、本実施の形態においては、図６を用いて照明装置および液晶ライトバルブ周辺のみを説明し、投射レンズ等の説明を省略する。
図６は、本実施の形態に係るプロジェクタの全体構成を示す概略平面図である。
本実施の形態のプロジェクタ２は単板式の液晶プロジェクタであり、図６に示すように、各色光Ｒ、Ｇ１、Ｇ２、Ｂを交番出射する照明装置１０´と、出射された各色光に応じて色光を変調する透過型の液晶ライトバルブ（光変調手段）３０´と、変調された各色光を投射する投射レンズ３５と、から概略構成されている。
【００２８】
照明装置１０´は、図６に示すように、それぞれＲ（赤）、Ｇ１（緑：波長５０２ｎｍ）、Ｇ２（緑：波長５６０ｎｍ）、Ｂ（青）の色光を交番出射可能な光源１１Ｒ´、１１Ｇ１´、１１Ｇ２´、１１Ｂ´と、各色光を重ね合わせて白色光を出射するクロスダイクロイックプリズム１２と、から概略構成されている。
液晶ライトバルブ３０´には、画素スイッチング用素子として薄膜トランジスタ（Ｔｈｉｎ  Ｆｉｌｍ  Ｔｒａｎｓｉｓｔｏｒ、以下、ＴＦＴと略記する）を用いたＴＮ（Ｔｗｉｓｔｅｄ  Ｎｅｍａｔｉｃ）モードのアクティブマトリクス方式の透過型の液晶セルが使用されている。液晶ライトバルブ３０の画素は、照明装置１０´から交番出射される各色光に対応して変調することができる。
【００２９】
次に、上記の構成からなるプロジェクタ２における作用について説明する。
照明装置１０´の光源１１Ｒ´、１１Ｇ１´、１１Ｇ２´、１１Ｂ′は、交番に発光して、各色光Ｒ、Ｇ１、Ｇ２、Ｂが出射され、光入射面１３ｒ、１３ｇ１、１３ｇ２、１３ｂに入射される。このとき、光源１１Ｇ１´、１１Ｇ２´については同時に発光して色光Ｇ１、Ｇ２は同時に出射される。
クロスダイクロイックプリズム１２に入射された各色光Ｒ、Ｇ１、Ｇ２、Ｂは、各反射ダイクロイック膜１４ｒ、１４ｇ、１４ｂを反射、透過されて光出射面１３から交番に出射される。
色光Ｇ１、Ｇ２は同時にクロスダイクロイックプリズム１２に入射され、光出射面１３から重ね合わされて色光Ｇとして出射される。
クロスダイクロイックプリズム１２から交番にされた色光Ｒ、Ｇ、Ｂは、液晶ライトバルブ３０´に入射される。液晶ライトバルブ３０´は、交番に入射される色光Ｒ、Ｇ、Ｂに応じて各色光を変調し、変調された各色光は投射レンズ３５によってスクリーン４０に投射される。
【００３０】
上記の構成によれば、クロスダイクロイックプリズム１２と液晶ライトバルブ３０´との間にカラーフィルタなどの他の構成要素を配置する必要がないため、プロジェクタ２の小型化、軽量化を図ることができる。
【００３１】
〔第３の実施の形態〕
次に、本発明の第３の実施形態について図７を参照して説明する。
本実施の形態におけるプロジェクタの基本構成は、第１の実施の形態と同様であるが、第１の実施の形態とは、液晶ライトバルブの数および配置位置が異なっている。よって、本実施の形態においては、図７を用いて液晶ライトバルブ周辺のみを説明し、投射レンズ等の説明を省略する。
図７は、本実施の形態に係るプロジェクタの全体構成を示す概略平面図である。
本実施の形態のプロジェクタ３は３板式の液晶プロジェクタであり、図７に示すように、光源１１Ｒ、１１Ｇ１、１１Ｇ２、１１Ｂから出射された各色光Ｒ、Ｇ１、Ｇ２、Ｂをそれぞれ変調する透過型の液晶ライトバルブ（光変調手段）３１Ｒ、３１Ｇ１、３１Ｇ２、３１Ｂを備えている。
【００３２】
液晶ライトバルブ３１Ｒ、３１Ｇ１、３１Ｇ２、３１Ｂは、それぞれ対応する光源１１Ｒ、１１Ｇ１、１１Ｇ２、１１Ｂとクロスダイクロイックプリズム１２の光入射面１３ｒ、１３ｇ１、１３ｇ２、１３ｂとの間に配置されている。
また、液晶ライトバルブ３１Ｒ、３１Ｇ１、３１Ｇ２、３１Ｂには、画素スイッチング用素子として薄膜トランジスタ（Ｔｈｉｎ  Ｆｉｌｍ  Ｔｒａｎｓｉｓｔｏｒ、以下、ＴＦＴと略記する）を用いたＴＮ（Ｔｗｉｓｔｅｄ  Ｎｅｍａｔｉｃ）モードのアクティブマトリクス方式の透過型の液晶セルが使用されている。
【００３３】
次に、上記の構成からなるプロジェクタ３における作用について説明する。
図８は、各色光の重ね合わせを示す概略平面図である。図９は、各色光の重ね合わせを示す概略側面図である。
光源１１Ｒ、１１Ｇ１、１１Ｇ２、１１Ｂから連続的に出射された各色光Ｒ、Ｇ１、Ｇ２、Ｂは、図４および図５に示すように、それぞれ液晶ライトバルブ３１Ｒ、３１Ｇ１、３１Ｇ２、３１Ｂに入射する。液晶ライトバルブ３１Ｒ、３１Ｇ１、３１Ｇ２、３１Ｂに入射した各色光は、画像信号に基づいて変調され、クロスダイクロイックプリズム１２の光入射面１３ｒ、１３ｇ１、１３ｇ２、１３ｂに入射される。
クロスダイクロイックプリズム１２に入射した色光Ｒは、Ｒ反射ダイクロイック膜１４ｒに反射され光出射面１３から出射される。色光Ｇ１は、全ての反射ダイクロイック膜１４ｒ、１４ｇ、１４ｂを透過して光出射面１３から出射される。色光Ｇ２は、Ｇ反射ダイクロイック膜１４ｇに反射され光出射面１３から出射される。光入射面１３ｂに入射した色光Ｂは、Ｂ反射ダイクロイック膜１４ｂに反射され光出射面１３から出射される。
【００３４】
クロスダイクロイックプリズム１２に入射された各色光Ｒ、Ｇ１、Ｇ２、Ｂは、クロスダイクロイックプリズム１２内で重ね合わされ、光出射面１３からカラー画像となって出射される。光出射面１３から出射されたカラー画像は、投射レンズ３５に入射しスクリーン４０に投射される。
【００３５】
上記の構成によれば、光源１１Ｒ、１１Ｇ１、１１Ｇ２、１１Ｂから出射された色光Ｒ、Ｇ１、Ｇ２、Ｂをそれぞれ液晶ライトバルブ３１Ｒ、３１Ｇ１、３１Ｇ２、３１Ｂにより変調してから合成しているため、投射される画像の明るさをより向上させることができる。
【００３６】
なお、本発明の技術範囲は上記実施形態に限定されるものではなく、本発明の趣旨を逸脱しない範囲において種々の変更を加えることが可能である。
例えば、上記の実施の形態においては、光源にＬＥＤチップをアレイ状に配置した構成に適応して説明したが、ＬＥＤチップをアレイ状に配置した構成に限られることなく、１つのＬＥＤを用いる構成など、その他各種の構成に適応することができるものである。
【図面の簡単な説明】
【００３７】
【図１】本実施の形態に係るプロジェクタの全体構成を示す概略平面図である。
【図２】クロスダイクロイックプリズムの斜視図である。
【図３】各ダイクロイック膜の反射特性を説明する図である。
【図４】各色光の重ね合わせを示す概略平面図である。
【図５】各色光の重ね合わせを示す概略側面図である。
【図６】本実施の形態に係るプロジェクタの全体構成を示す概略平面図である。
【図７】本実施の形態に係るプロジェクタの全体構成を示す概略平面図である。
【図８】各色光の重ね合わせを示す概略平面図である。
【図９】各色光の重ね合わせを示す概略側面図である。
【符号の説明】
【００３８】
１、２、３・・・プロジェクタ、  １０、１０′・・・照明装置、  １１Ｒ、１１Ｇ１、１１Ｇ２、１１Ｂ、１１Ｒ′、１１Ｇ１′、１１Ｇ２′、１１Ｂ′・・・光源、  １２・・・クロスダイクロイックプリズム（波長合成手段）、  １３・・・光出射面、１３ｒ、１３ｇ１、１３ｇ２、１３ｒ・・・光入射面、  １４ｒ・・・Ｒ反射ダイクロイック膜（色光選択膜）、  １４ｇ・・・Ｇ反射ダイクロイック膜（色光選択膜）、  １４ｂ・・・Ｂ反射ダイクロイック膜（色光選択膜）、  ２０・・・カラーフィルタ、  ３０、３０′、３１Ｒ、３１Ｇ１、３１Ｇ２、３１Ｂ・・・液晶ライトバルブ（光変調手段）、  ３５・・・投射レンズ（投射手段）
【図１】
2005121735.tif 000003
【図２】
2005121735.tif 000004
【図３】
2005121735.tif 000005
【図４】
2005121735.tif 000006
【図５】
2005121735.tif 000007
【図６】
2005121735.tif 000008
【図７】
2005121735.tif 000009
【図８】
2005121735.tif 000010
【図９】
2005121735.tif 000011